(57)【要約】      （修正有）【課題】複数の呼出機と複数の被呼出機との間の通信を制御する制御装置を必要としない、複数の呼出機および被呼出機を有する呼出システムを提供する。【解決手段】集合住宅のエンタランス等に設置されたＫ台の呼出機１の各々は、ＬＡＮを介して各戸側に設置されたＮ台のいずれかを被呼出機２を直接呼出し、呼出された被呼出機２は、共用の映像カメラ３から受信した映像データを映像処理し、訪問者映像を表示すると共に、複数の呼出機１からの呼出を同時に制御できる機能を備える。【選択図】図１
2017175189.tif 000002
【特許請求の範囲】
【請求項１】
ＬＡＮを介して接続される複数の呼出機と複数の被呼出機から成り、前記呼出機のいずれかが前記被呼出機のいずれかを呼出す呼出システムであって、
前記呼出機の各々は、前記被呼出機の各々のアドレスの全てまたは一部を呼出先として登録する呼出先登録手段と、前記呼出先のいずれかを指定する操作を受付ける呼出操作手段と、所定の呼出データを送信する呼出データ送信手段と、所定の応答データを受信する応答データ受信手段と、文字情報およびまたは音声情報を再生する情報再生手段と、を有し、指定された呼出先へ呼出データを送信した場合に、次の呼出先の指定に係る操作を禁止し、前記送信した呼出データに対応する応答データを受信したならば、自呼出機が備える通話機能を起動し、または前記受信した応答データに含まれている応答メッセージの文字情報もしくは音声情報を再生し、前記起動した通話機能が停止された後、または前記文字情報もしくは音声情報の再生を終了した後、または前記応答データを受信していない状態で所定の時間が経過した後に、次の呼出先の指定を許可し、
前記被呼出機の各々は、自被呼出機を操作する者を呼出す呼出音を鳴動する、または所定の呼出情報を表示する呼出手段と、文字情報もしくは音声情報による１以上の応答メッセージを登録する応答メッセージ登録手段と、前記応答メッセージの指定を含む応答操作を受付ける応答操作手段と、前記呼出データを受信する呼出データ受信手段と、前記応答データを送信する応答データ送信手段と、を有し、前記呼出機のいずれかから前記呼出データを受信した場合に、前記呼出音を鳴動し、およびまたは前記呼出情報を表示し、応答操作が為されたならば、自被呼出機が備える通話機能を起動し、または前記通話機能を起動せずに、前記為された応答操作に対応して前記定型メッセージのいずれかを含む、または前記定型メッセージを含まない応答データを前記受信した呼出データの送信元へ送信し、前記受信した呼出データに係る一連の処理が終了する以前、または前記起動した通話機能が停止される以前に、他の呼出機から新たな呼出データを受信した場合に、前記受信した新たな呼出データに自動的に応答し、応対中である旨の応答データを前記新たな呼出データの送信元へ送信する、または前記受信した新たな呼出データに自動的に応答せずに、前記新たな呼出データに係る情報を自被呼出機が備える表示部に表示することを特徴とする複数の呼出機および被呼出機を有する呼出システム。
【請求項２】
請求項１に記載の呼出システムであって、
前記被呼出機の各々は、前記呼出機の周辺を撮像する１以上の映像カメラから映像データを受信する映像データ受信手段と、前記受信した映像データから所定の箇所を拡大処理した映像、または拡大処理しない映像を、自被呼出機が備える表示部に表示することを特徴とする複数の呼出機および被呼出機を有する呼出システム。
【発明の詳細な説明】
【技術分野】
【０００１】
本発明は、集合住宅等に設置される複数の呼出機および被呼出機を有する呼出システムに関し、特に各呼出機と各被呼出機の全体を制御する全体制御装置が不要な呼出システムに関する。
【背景技術】
【０００２】
集合住宅等における呼出システム（インターホンシステム）は、エンタランスに設置された１台の呼出機（インターホン子機）を各訪問者が操作して、各戸に設置された被呼出機（インターホン親機）のいずれかを選択して呼出すのが一般的であり、複数の訪問者が同時に存在する場合、前記１台の呼出機を順番に利用する必要があった。従って、複数の訪問者が同時に存在する可能性の高い大規模なマンション等では、エンタランスに複数の呼出機を設置することが望ましい。この複数の呼出機を含む呼出システムに関し、複数のインターホン子機とインターホン親機を備えたインターホンシステムに係る技術がある（例えば特許文献１）。
【０００３】
しかしながら、特許文献１に記載の被呼出機は、インターホン子機とインターホン親機との間の通信を制御する制御装置を必要とする分、制御装置の設置に係る設置スペースおよびコストの点で不利であった。
【先行技術文献】
【特許文献】
【０００４】
【特許文献１】特開２０１０−１３０３３５号公報
【発明の概要】
【発明が解決しようとする課題】
【０００５】
そこで、本発明の課題は、複数の呼出機と複数の被呼出機との間の通信を制御する制御装置を必要としない、複数の呼出機および被呼出機を有する呼出システムを提供することにある。
【課題を解決するための手段】
【０００６】
上記課題を解決するために、本発明は、ＬＡＮを介して接続される複数の呼出機と複数の被呼出機から成り、前記呼出機のいずれかが前記被呼出機のいずれかを呼出す呼出システムであって、前記呼出機の各々は、前記被呼出機の各々のアドレスの全てまたは一部を呼出先として登録する呼出先登録手段と、前記呼出先のいずれかを指定する操作を受付ける呼出操作手段と、所定の呼出データを送信する呼出データ送信手段と、所定の応答データを受信する応答データ受信手段と、文字情報およびまたは音声情報を再生する情報再生手段と、を有し、指定された呼出先へ呼出データを送信した場合に、次の呼出先の指定に係る操作を禁止し、前記送信した呼出データに対応する応答データを受信したならば、自呼出機が備える通話機能を起動し、または前記受信した応答データに含まれている応答メッセージの文字情報もしくは音声情報を再生し、前記起動した通話機能が停止された後、または前記文字情報もしくは音声情報の再生を終了した後、または前記応答データを受信していない状態で所定の時間が経過した後に、次の呼出先の指定を許可し、前記被呼出機の各々は、自被呼出機を操作する者を呼出す呼出音を鳴動する、または所定の呼出情報を表示する呼出手段と、文字情報もしくは音声情報による１以上の応答メッセージを登録する応答メッセージ登録手段と、前記応答メッセージの指定を含む応答操作を受付ける応答操作手段と、前記呼出データを受信する呼出データ受信手段と、前記応答データを送信する応答データ送信手段と、を有し、前記呼出機のいずれかから前記呼出データを受信した場合に、前記呼出音を鳴動し、およびまたは前記呼出情報を表示し、応答操作が為されたならば、自被呼出機が備える通話機能を起動し、または前記通話機能を起動せずに、前記為された応答操作に対応して前記定型メッセージのいずれかを含む、または前記定型メッセージを含まない応答データを前記受信した呼出データの送信元へ送信し、前記受信した呼出データに係る一連の処理が終了する以前、または前記起動した通話機能が停止される以前に、他の呼出機から新たな呼出データを受信した場合に、前記受信した新たな呼出データに自動的に応答し、応対中である旨の応答データを前記新たな呼出データの送信元へ送信する、または前記受信した新たな呼出データに自動的に応答せずに、前記新たな呼出データに係る情報を自被呼出機が備える表示部に表示することを特徴とする。
【発明の効果】
【０００７】
本発明によれば、複数の呼出機と複数の被呼出機との間の通信を制御する制御装置を必要としない、複数の呼出機および被呼出機を有する呼出システムを提供できる。これにより、制御装置の設置に係る設置スペースが不要であると共に、コストの点でも有利である。さらに、一般的な制御装置に設定するデータは、各呼出機と各被呼出機に必要なデータを設定するので、呼出機および被呼出機の増設が容易であると共に、各戸内に設置される被呼出機の各種設定や応答メッセージを各戸側で保守することが可能であり、保守性，柔軟性に優れる。さらに、複数の呼出機と複数の被呼出機を接続する回線として、集合住宅内に敷設されたＬＡＮを流用できるので、ネットワークの構成も柔軟で合理的である。
【図面の簡単な説明】
【０００８】
【図１】本発明の実施形態に係る全体構成図である。
【図２】本発明の呼出機１の内部ブロック構成図である。
【図３】本発明の被呼出機２の内部ブロック構成図である。
【図４】本発明の呼出機１の動作フローチャートである。
【図５】本発明の被呼出機２の動作フローチャートである。
【発明を実施するための形態】
【０００９】
以下、本発明の実施形態について、図面を用いて説明する。図１は、本発明の実施形態に係る全体構成図であって、呼出機１、被呼出機２、映像カメラ３、リモート開閉ドアー４から構成される。
【００１０】
呼出機１は、呼出機１の使用者が任意の被呼出機２または映像カメラ３と通信する機器であり、一般的なインターホンシステムのインターホン子機に相当する。この呼出機１の設置台数Ｋは、任意であるが、本システムが導入された集合住宅の戸数に応じて、Ｎ以下の適切な数とすればよい。訪問者等は、いずれかの呼出機１を操作し、操作内容に従って、呼出機１は、目的の被呼出機２へ、ＬＡＮを介して呼出データを送信する。
【００１１】
被呼出機２は、各戸側の住居内に設置される機器であり、一般的なインターホンシステムのインターホン親機に相当する。被呼出機２の設置台数Ｎは、任意であるが、本システムが導入された集合住宅の戸数と同数以上であることが基本的である。被呼出機２は、いずれかの呼出機１からＬＡＮを介して呼出データを受信する。
【００１２】
映像カメラ３は、本システムを導入する集合住宅のエンタランス等に設置される映像カメラである。この映像カメラ３のアングル，ズームを制御したり、映像カメラ３からの映像データを処理（切出，拡大等）することで、各呼出機１の操作者映像を取得できる。これにより、各呼出機１に操作者映像を取得するための映像カメラは不要にできる（あってもよい）。映像カメラ３が撮像した映像データは、ＬＡＮを介して、各被呼出機２に伝達される。
【００１３】
リモート開閉ドアー４は、ドアーの開錠／施錠制御を行う装置である。リモート開閉ドアー４は、開錠指示または施錠指示を受信した場合、指示に従って開錠／施錠制御を行う。各戸側の被呼出機２は、操作部２４（後述）への操作内容に応じて、開錠指示または施錠指示の信号を、ＬＡＮを介してリモート開閉ドアー４へ送信できる。
【００１４】
なお、図１におけるＬＡＮは、本システムが導入された集合住宅におけるインターネット接続等の情報配信用のＬＡＮと共用してもよいし、独立のＬＡＮとしてもよい。
【００１５】
図２は、呼出機１の内部ブロック構成図である。呼出機１は、端末制御部１０、通信制御部１１、呼出先アドレス登録部１２、表示部１３、操作部１４、通話部１５から構成される。
【００１６】
端末制御部１０は、呼出機１の制御全般を実行する手段である。端末制御部１０は、操作部１４から入力されたデータに従って、情報を表示部１３に表示し、通信制御部１１，ＬＡＮを介して呼出データを指定された被呼出機２へ送信する。また、通信制御部１１，ＬＡＮを介して被呼出機２から受信した応答データに従って、各部を制御し、情報を表示部１３に表示する。端末制御部１０の詳細な動作は後述する。
【００１７】
通信制御部１１は、ＬＡＮを介して、被呼出機２または映像カメラ３またはリモート開閉ドアー４と通信する手段である。ＬＡＮを介して送受信される各データは、ＩＰ（Ｉｎｔｅｒｎｅｔ  Ｐｒｏｔｏｃｏｌ）パケットのペイロードとして送受信される。
【００１８】
呼出先アドレス登録部１２は、各被呼出機２が設置された戸を識別する名称とＩＰアドレス等を対応付けて登録，記憶しておく手段である。この名称やＩＰアドレスは、本システムを管理するシステム管理者が、ＬＡＮを介してシステム管理者の情報端末（図示せず）から登録，修正するようにしてもよいし、各住居人が自宅側に設置された被呼出機２からリモート操作して、または呼出機１を直接操作して自ら登録、修正するようにしてもよい。
【００１９】
なお、各呼出機１の呼出先アドレス登録部１２への登録内容は同一でなくてもよい。例えば、特定の呼出機１に、集合住宅の管理者等の特定の被呼出機２の名称やＩＰアドレスだけを登録し、簡易な操作で管理者等に繋がるように設定，登録してもよい。
【００２０】
表示部１３は、端末制御部１０から入力する表示情報を表示する手段であり、例えば、ＬＣＤ，ＥＬ等の平面ディスプレイである。
【００２１】
操作部１４は、来訪者等が本呼出機１を操作する手段であり、呼出すべき被呼出機２を指定するテンキーやタッチパネル含む。
【００２２】
通話部１５は、マイク／スピーカ（図示せず）を含み、呼出した被呼出機２側と通話する手段である。被呼出機２側の応対者が不在な場合、端末制御部１０の制御に従って、被呼出機２側からの音声メッセージを再生する。
【００２３】
図３は、被呼出機２の内部ブロック構成図である。被呼出機２は、端末制御部２０、通信制御部２１、応答メッセージ記憶部２２、表示部２３、操作部２４、通話部２５、呼出鳴動部２６、映像処理部２７、設定データ記憶部２８から構成される。
【００２４】
端末制御部２０は、被呼出機２の制御全般を実行する手段である。端末制御部２０は、ＬＡＮを介して通信制御部２１が受信したデータに従って各部を制御し、情報を表示部２３に表示する。また、端末制御部２０は、操作部２４から入力された操作に従って各部を制御し、メッセージやコマンドを、通信制御部２１とＬＡＮを介して、映像カメラ３または呼出機１またはリモート開閉ドアー４へ送信する。各部の制御の詳細は後述する。
【００２５】
通信制御部２１は、ＬＡＮを介して、呼出機１または映像カメラ３またはリモート開閉ドアー４と通信する手段である。ＬＡＮを介して送受信される各データは、ＩＰ（Ｉｎｔｅｒｎｅｔ  Ｐｒｏｔｏｃｏｌ）パケットのペイロードとして送受信される。
【００２６】
応答メッセージ記憶部２２は、呼出元の呼出機１へ送信する定型的な１以上の応答メッセージ（文字情報または音声情報）を登録して記憶しておく手段である。この応答メッセージは、各住居人が被呼出機２を操作して自ら登録、修正するのが基本だが、本システムを管理するシステム管理者が、ＬＡＮを介して、システム管理者の情報端末（図示せず）から登録、修正するようにしてもよい。
【００２７】
表示部２３は、端末制御部２０から通知される表示情報を表示する手段であり、例えば、ＬＣＤ，ＥＬ等の平面ディスプレイである。
【００２８】
操作部２４は、住居人等が本被呼出機２を操作する手段であり、応答ボタン／終話ボタン、応答メッセージ送信ボタン、ドアー開錠ボタン等を含む。なお、操作部２４は、表示部２３と一体化されたタッチパネルであってもよい。
【００２９】
通話部２５は、被呼出機２のマイク／スピーカ（図示せず）を含み、通信制御部２１とＬＡＮを介して接続された、呼出元の呼出機１側の者と通話する手段である。
【００３０】
呼出鳴動部２６は、端末制御部２０からの指示に従って、チャイムや楽音を鳴動し、近傍に居る者を呼出す手段である。
【００３１】
映像処理部２７は、端末制御部２０からの指示に従って映像を処理する手段であり、受信した映像データを復号化すると共に、拡大／縮小／解像度変換／トリミング等の映像処理を実行する。処理した映像は、端末制御部２０を介して表示部２３に表示される。
【００３２】
設定データ記憶部２８は、留守モード時の応答動作等の端末動作を制御する設定データを記憶しておく手段である。この設定データは、各住居人が被呼出機２を操作して自ら登録、修正するのが基本だが、本システムを管理するシステム管理者が、ＬＡＮを介してシステム管理者の情報端末（図示せず）から登録、修正するようにしてもよい。
【００３３】
図４は、呼出機１の動作フローチャートである。以下、図１、図２を併用して、呼出機１の動作フローを説明する。本フローは呼出機１の電源が投入された状態からスタートする（Ｓ４００）。
【００３４】
電源が投入されると（Ｓ４００）、端末制御部１０は、呼出機１の初期画面として、呼出先の名称の一覧と、訪問者への操作案内画面（例えば、「訪問先をタッチして下さい」）を表示し（Ｓ４０１）、Ｓ４０２へ進む。
【００３５】
Ｓ４０２において、呼出先指定操作が無く（Ｓ４０２，ＮＯ）、呼出先の登録イベントも無ければ（Ｓ４１１，ＹＥＳ）、入力された呼出先の名称やＩＰアドレス等を、呼出先アドレス登録部１２に対応付けて登録（記憶）し（Ｓ４１２）、Ｓ４０１へ戻る。Ｓ４１１でＮＯであれば、Ｓ４１２をスキップしてＳ４０１へ戻る。なお、Ｓ４１１でＹＥＳと判断するケースは、操作部１４への操作内容が呼出先に係る情報の登録操作であった場合、およびＬＡＮを介して被呼出機２もしくはシステム管理者側から呼出先に係る情報を受信した場合である。
【００３６】
Ｓ４０２において、訪問者が呼出機１の操作部１４を操作して、呼出先が指定された場合（Ｓ４０２，ＹＥＳ）、端末制御部２０は、次の呼出先指定操作を禁止する処理を実行し（Ｓ４２１）、指定された呼出先に対応した被呼出機２のＩＰアドレスを呼出先アドレス登録部１２から取得し、取得したＩＰアドレスの被呼出機２へ呼出データを送信し（Ｓ４２２）、表示部１３へ呼出中を表示し（図示せず）、Ｓ４３１へ進む。
【００３７】
ここで、Ｓ４２１における次の呼出先指定操作の禁止は、呼出者と被呼出者の対応関係の混乱を避けるためである。もし、複数の呼出者が１台の呼出機１を連続的に操作し、複数の被呼出機２を同時に呼出した場合、応答した被呼出機２とどちらの呼出者が通話すべきか混乱する。そのため、本願では、一連の呼出処理が完了するまでの間、次の呼出先指定操作を禁止している。なお、呼出者が複数居る場合は、別々の呼出機１で所望の被呼出機２を呼出せばよい。
【００３８】
また、被呼出機２へ送信する呼出データは、訪問者の映像データを含んでいる。この映像データは、例えば、自呼出機１の周辺を含む領域を撮影する映像カメラ３から映像データを受信し、自呼出機１の前面に居る訪問者の映像部分をトリミング／拡大処理したものである。このように１台の映像カメラ３を複数の呼出機１で共用することにより、各呼出機１に訪問者撮影用の映像カメラを内蔵させる場合に比べ、経済的である。なお、呼出データに、訪問者の映像データを含ませないで、被呼出機２が映像カメラ３へアクセスして映像データを取得して映像処理するようにしてもよい。
【００３９】
Ｓ４３１において、呼出した被呼出機２から応答メッセージを受信すると（Ｓ４３１，ＹＥＳ）、端末制御部１０は、通話部１５を起動し、受信した応答メッセージを再生し（Ｓ４３２）、Ｓ４４１へ進む。Ｓ４３１でＮＯであれば、Ｓ４３２をスキップして、Ｓ４４１へ進む。なお、被呼出機２から受信する応答メッセージは、例えば、「ただ今、取込んでいますので、用件をお話し下さい」のような、予め被呼出機２に登録されている自動応答メッセージであり、音声情報であれば通話部１５のスピーカで再生し、文字情報であれば表示部１３に表示する。
【００４０】
Ｓ４４１において、呼出先の被呼出機２から通話許可を受信すると（Ｓ４４１，ＹＥＳ）、端末制御部１０は、表示部１３に通話中を表示し、通話部１５を制御して通話機能を起動し（Ｓ４４２）、Ｓ４６１へ進む。Ｓ４４１でＮＯの場合、タイムアウト（例えば、１分）前であれば（Ｓ４５１，ＮＯ）、Ｓ４３１へ戻る。タイムアウト後であれば（Ｓ４５１，ＹＥＳ）、端末制御部１０は、表示部１３に呼出先不応答を表示（Ｓ４５２）し、次の呼出先指定操作の禁止を解除し（Ｓ４５３）、Ｓ４０１へ戻る。
【００４１】
Ｓ４６１において、操作部１４への終了操作または被呼出機２からの通話終了コマンドの受信により通話が終了した場合（Ｓ４６１，ＹＥＳ）、端末制御部１０は、通話部１５を制御して通話機能を停止すると共に、次の呼出先指定操作の禁止を解除し（Ｓ４７１）、Ｓ４０１へ戻る。
【００４２】
図５は、被呼出機２の動作フローチャートである。以下、図１、図３を併用して、被呼出機２の動作フローを説明する。本フローは被呼出機２の電源が投入された状態からスタートする（Ｓ５００）。
【００４３】
電源が投入されると（Ｓ５００）、端末制御部２０は、被呼出機２の初期画面として、住居人への操作案内画面（例えば、「画面をタッチして下さい」）を表示し（Ｓ５０１）、Ｓ５０２へ進む。
【００４４】
Ｓ５０２において、呼出データの受信が無く（Ｓ５０２，ＮＯ）、応答メッセージ登録または各種制御データの登録またはドアー開錠に係る操作部２４への操作を検知した場合（Ｓ５１１，ＹＥＳ）、入力された応答メッセージまたは各種制御データまたはドアー開錠指示に従って、入力された応答メッセージ記憶部２２に登録し、または入力された設定データを設定データ記憶部２８に登録し、またはドアー開錠コマンドをリモート開閉ドアー４へ送信し（Ｓ５１２）、Ｓ５０１へ戻る。呼出データを受信した場合（Ｓ５０２，ＹＥＳ）、Ｓ５２１へ進む。
【００４５】
ここで、応答メッセージ記憶部２２へ登録する応答メッセージは、例えば、「ただ今、取込んでいますので、用件をお話し下さい」のような、留守時や応答不可時に訪問者へ伝達する音声メッセージ等である。また、設定データ記憶部２８へ登録する設定は、例えば、被呼出機２が複数の呼出データを受信した場合に対する処理内容等である。Ｓ５１１でＮＯであれば、Ｓ５１２をスキップしてＳ５０１へ戻る。なお、図示しないが、Ｓ５１２における、応答メッセージの応答メッセージ記憶部２２への登録や、各種制御データの設定データ記憶部２８への登録は、ＬＡＮを介してシステム管理者側の機器から登録するようにしてもよい。
【００４６】
Ｓ５２１において、他の呼出機１から呼出データを受信中または通話中であれば（５２１，ＹＥＳ）、Ｓ５１１で設定されている制御データに従って、新たな呼出データの送信元へ応対中メッセージ、または割込み処理等を実行し（Ｓ５２２）、Ｓ５７１へ進む。ここで、応対中メッセージは、「現在、応対中です」でもよいが、自被呼出機２を呼出している他の呼出機１を操作している訪問者の存在に気付かれるので、プライバシー保護の観点から、例えば、「現在、取込んでいて応対できません」のような内容を登録しておいてもよい。このような登録内容は、Ｓ５２２において、自身で録音した音声／機械音声／文字の選択も含め、被呼出機２側で自由に登録できる。なお、割込み処理の場合の処理は、一般的な電話装置における、通話中の着信と同じであり、説明を省く。
【００４７】
Ｓ５２１でＮＯの場合、端末制御部２０は、呼出鳴動部２６を起動して呼出鳴動／表示を実行させ（Ｓ５３１）、ＬＡＮを介して呼出機１からの映像データの受信を開始すると共に、映像カメラ３から受信した映像データを、映像処理部２７で復号化／表示範囲指定等の映像処理した映像の表示部２３への表示を開始（Ｓ５３２）、Ｓ５４１へ進む。
【００４８】
ここで、映像処理部２７が実行する表示範囲指定に係る映像処理は、複数の呼出機１を操作する複数の訪問者を撮影した映像データから、自被呼出機２を呼出している呼出機１を操作している訪問者の映像を切り出して、表示部２３に拡大表示する映像処理である。なお、切り出すべき箇所を特定するデータは、複数の呼出機１と対応付けて設定データ記憶部２８に登録されている。このように被呼出機２側で訪問者映像を切出して拡大表示する映像処理を実行するので、映像カメラ３を複数の呼出機１で共用でき、経済的である。なお、被呼出機２側の応答者は、操作部２４を操作して、映像カメラ３からの映像データを拡大処理しないで、そのまま全体映像を表示してもよいし、任意の箇所を指定して拡大表示することもできる。また、被呼出機２側から映像カメラ３へアクセスし、任意のタイミングで映像データを取得することも可能である。
【００４９】
Ｓ５４１において、操作部２４への通話開始操作を検知した場合（Ｓ５４１，ＹＥＳ）、通話部２５の通話機能を起動すると共に、端末制御部２０は、通信制御部を制御し、ＬＡＮを介して呼出機１へ通話許可を送信し（Ｓ５４２）、Ｓ５７１へ進む。この通話部２５の通話機能が起動された状態は、被呼出機２側の応対者と呼出機１側の訪問者が通話している状態であり、Ｓ５７１で通話終了操作（オンフック等）されるまで持続する。Ｓ５４１でＮＯであればＳ５５１へ進む。
【００５０】
Ｓ５５１において、操作部２４への応答メッセージ選択操作を検知した場合（Ｓ５５１，ＹＥＳ）、端末制御部２０は、応答メッセージ記憶部２２内の指定された応答メッセージを抽出し、抽出した応答メッセージを通信制御部２１へ出力し、ＬＡＮを介して、呼出機１に選択した応答メッセージを送信させ（Ｓ５５２）、Ｓ５７１へ進む。なお、この応答メッセージ選択操作は、被呼出機２側の者がする操作であり、居留守を決め込む場合または応対不可の場合に為す操作であり、Ｓ５１２において、種々の内容を登録しておけばよい。Ｓ５５１でＮＯであれば、Ｓ５６１へ進む。
【００５１】
Ｓ５６１において、タイムアウト前（例えば、１分）であれば（Ｓ５６１，ＮＯ）、Ｓ５４１へ戻り、Ｓ５４１およびＳ５５１のイベントの有無を監視する。タイムアウト後であれば（Ｓ５６１、ＹＥＳ）、端末制御部２０は、呼出機１にＬＡＮを介して、応答不可メッセージを送信し（Ｓ５６２）、Ｓ５７１へ進む。なお、図示しないが、このタイムアウトの計測タイマーは、呼出データの受信（Ｓ５０２，ＹＥＳ）で起動される。
【００５２】
Ｓ５７１において、通話が終了またはメッセージ送信が完了したら（Ｓ５７１，ＹＥＳ）、映像データの受信と表示を停止し、通話部２５の通話機能を停止し（Ｓ５７２）、Ｓ５０１へ戻る。
【００５３】
以上、本発明の実施形態について説明した。本発明によれば、複数の呼出機と複数の被呼出機との間の通信を制御する制御装置を必要としない、複数の呼出機および被呼出機を有する大規模な集合住宅に好適な呼出システムを提供できる。これにより、制御装置の設置に係る設置スペースが不要であると共に、映像カメラの共用も可能であり、コストの点でも有利である。さらに、一般的な制御装置に設定するデータは、各呼出機と各被呼出機に必要なデータを設定するので、呼出機および被呼出機の増設が容易であると共に、各戸内に設置される被呼出機の各種設定や応答メッセージを各戸側で保守することが可能であり、保守性，柔軟性に優れる。さらに、複数の呼出機と複数の被呼出機を接続する回線として、集合住宅内に敷設されたＬＡＮを流用できるので、ネットワークの構成も柔軟で合理的である。
【符号の説明】
【００５４】
１・・・呼出機
２・・・被呼出機
３・・・映像カメラ
４・・・リモート開閉ドアー
１０・・・端末制御部
１１・・・通信制御部
１２・・・呼出先アドレス登録部
１３・・・表示部
１４・・・操作部
１５・・・通話部
２０・・・端末制御部    
２１・・・通信制御部
２２・・・応答メッセージ記憶部
２３・・・表示部
２４・・・操作部
２５・・・通話部
２６・・・呼出鳴動部
２７・・・映像処理部
２８・・・設定データ記憶部
【図１】
2017175189.tif 000003
【図２】
2017175189.tif 000004
【図３】
2017175189.tif 000005
【図４】
2017175189.tif 000006
【図５】
2017175189.tif 000007